(57)【要約】【課題】本発明は、枠体ブロック舗装において雨水の浸透、芝生の育成を使い分けられるブロック舗装用枠体の提供にある。【解決手段】本発明は、１ないし複数に区画された区画部を有し、縦横の方向に互いに接続可能とされた枠体において、区画部は舗装部と透水部とに分かれ、舗装部にはブロックあるいは流動性固化材が充填可能とされ、透水部は透水予定部であり、透水予定部は形状の異なる透水用部材が挿入可能とされたブロック舗装用枠体である。透水部を雨水の浸透、芝生の育成などに使い分けられるよう透水予定部として透水用部材を取り換え可能とした。【選択図】図1
2008106460.tif 000002
【特許請求の範囲】
【請求項１】
１ないし複数に区画された区画部を有し、縦横の方向に互いに接続可能とされたブロック舗装用枠体において、区画部は舗装部と透水部とに分かれ、舗装部にはブロックあるいは流動性固化材が充填可能とされ、透水部は透水予定部であり、透水予定部は形状の異なる透水用部材が挿入可能とされたブロック舗装用枠体。
【発明の詳細な説明】
【技術分野】
【０００１】
本発明は、枠体を敷き設することでブロック舗装を実施するブロック舗装技術に属する。
【背景技術】
【０００２】
従来のブロック舗装は、（１）インターロッキングを含むレンガの敷設によるブロック舗装、（２）プラスチック製などの枠体内に木製、タイル製、石製のブロックを充填させ、その枠体に設けた接続部で相互に接続し簡便にブロック舗装を実施する枠体ブロック舗装あるいは（３）前記枠体を敷き設し、枠体に設けた区画部にセメントなどを流し込んでブロック舗装を実施する方法等が知られている。その（３）のブロック舗装の詳細は特開2000-204507、特開2001-000051、特開2001-003305、特開2001-193006等に開示されている。
【０００３】
枠体に設けられた所定区画内にタイル、石製などの既成のブロックをはめ込みあるいはコンクリートを流し込んでブロック舗装を形成する上記手段では、図８に示すように、枠体にブロックを挿入あるいはモルタルなどを充填する舗装部と、雨水等を路面に流すための透水部が設けられ、この透水部は同時に芝生などを育成させる緑ゆたかなブロック舗装を可能としている。
【０００４】
上記枠体によるブロック舗装は、浸透性部が芝生の育成用あるいは雨水の浸透用として想定されているが、雨水の浸透を目的とする場合透水部は狭く、芝生の育成を目的とする場合はその透水部は広く設定されている。
【０００５】
芝生の育成用透水の浸透用ではその透水部の大きさ形状が異なる。両方の用途に合うようなブロック舗装用枠体が望まれていた。
【０００６】
【特許文献１】特開2000-204507
【特許文献２】特開2001-000051
【特許文献３】特開2001-003305
【特許文献４】特開2001-193006
【発明の開示】
【発明が解決しようとする課題】
【０００７】
本発明は、枠体ブロック舗装において雨水の浸透、芝生の育成を使い分けられるブロック舗装用枠体の提供にある。
【課題を解決するための手段】
【０００８】
本発明は、１ないし複数に区画された区画部を有し、縦横の方向に互いに接続可能とされたブロック舗装用枠体において、区画部は舗装部と透水部とに分かれ、舗装部にはブロックあるいは流動性固化材が充填可能とされ、透水部は透水予定部であり、透水予定部は形状の異なる透水用部材が挿入可能とされたブロック舗装用枠体である。透水部を雨水の浸透、芝生の育成などに使い分けられるよう透水予定部として透水用部材を取り換え可能とした。
【発明の効果】
【０００９】
透水部を取り換え可能としたため、雨水の浸透、芝生の育成など目的に応じてブロック舗装材の使途を変えることができる。
【発明を実施するための最良の形態】
【００１０】
以下、本発明を図によって、より詳細に説明する。
図１ａに示す本発明のブロック舗装用枠体は、全体が舗装部であり、その中に14個の透水予定部が設けられている。各透水予定部は梁部および舗装部底面で互いに連結されている。透水予定部には図２に例示する透水部材が差込可能となっている。透水予定部と透水部材には互いに連結可能なようにオス・メスの継ぎ手を設けておく。その他透水予定部に舌部を設け、舌部によって差し込まれた透水部材を固定することであってもよい。相互の連結には、適宜既存の方法を使用することができる。
透水部材は、上述したようにその下部は透水予定部に挿入可能とされ、その上部は雨水の透水あるいは芝生を育成するための空間が上から下に貫通されている。
雨水の透水を目的とする場合は、その透水部材の透水部は狭くし、芝生などの植物を育成する目的のためにはその透水部は広めのものを使用する。
【００１１】
舗装部は、本例では枠体内に透水部以外の場所として一体的に設けられ、透水予定部は舗装部内に分散配置されている。本例に限らずブロック部を枠体内に複数設けることでもよい。
図１ｂに示すブロック舗装用枠体は、図１ａに示すものと同じであるが、舗装部の底面に孔が設けられている。
舗装部と透孔部の比率、形状など適宜変更可能である。また透水部材の形状、高さ、透水部材の上部開口部の形状、大きさなども適宜変更可能である。
【００１２】
図３は、舗装部にブロックを挿入した状態を示している。舗装部にはブロックを充填してもよくモルタルを流し込んでもよい。図1ｂに示した枠体の舗装部には孔部が設けられているため、モルタルなどを流し込む場合は、路盤とモルタルとの結合も期待され路盤とのなじみもよくなる。
【００１３】
図４は、舗装用ブロック枠体に異なる種類の透水部材を挿入した例を示している。
本例では一列ごとに異なる種類の透水部材を使用したが、これら透水部材の配列は適宜本舗装用ブロックの目的に応じて変更することができる。
図５は、舗装部にモルタルを流し込んだ状態を示す概念図である。
【００１４】
図６は、図１ａに示した枠体を、路盤に敷き設し舗装部にモルタルを充填した状態を示している。
【００１５】
図７は、図１ｂに示した枠体を上下逆さまにして使用した例である。舗装部の底部に設けた孔部と透水部に設けた透孔部を合わせた面積が透水部となり、特に底部に設けた孔部は面積が大きく取れるため芝生などの植生用部として利用できる。
【００１６】
かかるブロック舗装用枠体を用いるブロック舗装は、路盤を平坦とし、砕石、砂利等を敷き、その上に必要に応じて砂を敷いた上に接続しながら所定の透水部材を挿入した枠体を敷き設する。舗装部にブロックを挿入あるいはモルタルなどを充填し、ブロック舗装とする。芝などの育成用に使用する透水部には土壌を充填してもよい。
ブロック舗装用枠体は、熱可塑性の樹脂あるいはステンレススチール製とすることができる。
【図面の簡単な説明】
【００１７】
【図１】は、 本発明のブロック舗装枠体を示す概念図である。
【図２】は、透水部材の例を示す概念図である。
【図３】は、舗装部にブロックを敷き設した例を示す概念図である。
【図４】は、枠体に各種の透水部材を差し込んだ状態を示す概念図である。
【図５】は、舗装部にモルタルを流し込んだ状態を示す概念図である。
【図６】は、本ブロック舗装材を敷き設した状態を示す概念図である。
【図７】は、ブロック舗装枠体を逆さまにして使用する例を示す概念図である。
【図８】は、従来のブロック舗装枠体の例を示す。
【符号の説明】
【００１８】
１  枠体
２  舗装部
３  透水予定部
４  透水部材
５  梁
６  底孔
【図１】
2008106460.tif 000003
【図２】
2008106460.tif 000004
【図３】
2008106460.tif 000005
【図４】
2008106460.tif 000006
【図５】
2008106460.tif 000007
【図６】
2008106460.tif 000008
【図７】
2008106460.tif 000009
【図８】
2008106460.tif 000010